(57)【要約】【課題】ホログラフィー又は回折図案の提供。【解決手段】本発明は、信号に応答するホログラフィー又は回折図案であって、前記図案は画像形成体及び画像隠し体を含む；前記画像形成体は、画像形成体から反射された又は画像形成体を通過した光が少なくとも１つの画像を形成するのに適応している；前記画像隠し体は、画像を薄くする作用をする；かつ、前記画像隠し体による画像の薄化は前記信号に応答して変化することを特徴とする図案を提供する。【選択図】なし【特許請求の範囲】
【請求項１】
信号に応答するホログラフィー又は回折図案であって、
前記図案は画像形成体及び画像隠し体を含む；前記画像形成体は、画像形成体から反射された又は画像形成体を通過した光が少なくとも１つの画像を形成するのに適応している；前記画像隠し体は、画像を薄くする作用をする；かつ、前記画像隠し体による画像の薄化は前記信号に応答して変化する
ことを特徴とする図案。
【請求項２】
前記画像隠し体は、隠し画像に特異的に作用する化学試薬を用いた信号に応答する
ことを特徴とする請求項１に記載の図案。
【請求項３】
前記画像形成体は浮き出しのある表面を含み、この浮き出しのある表面に光が反射すると、反射光が画像を形成する
ことを特徴とする請求項１又は２に記載の図案。
【請求項４】
前記画像隠し体は、１つ以上の画像を薄くする作用のある光学特性を有する被覆材料の層を含む
ことを特徴とする請求項１〜３のいずれか１項に記載の図案。
【請求項５】
前記画像隠し体は、これに特異的に作用して１つ以上の画像の薄化を変化させるような化学試薬による信号に応答する
ことを特徴とする請求項１〜４のいずれか１項に記載の図案。
【請求項６】
前記画像隠し体の光学特性は、前記化学試薬に応答して変化する
ことを特徴とする請求項５に記載の図案。
【請求項７】
前記画像隠し体又は前記被覆材料の層は、前記化学試薬の作用に応答して、部分的に又は完全に取り除かれ得る
ことを特徴とする請求項１〜６のいずれか１項に記載の図案。
【請求項８】
前記画像隠し体又は前記被覆材料の層は、前記化学試薬中に、部分的に又は完全に溶解し得る
ことを特徴とする請求項７に記載の図案。
【請求項９】
前記画像隠し体は、酵素の基質を含む
ことを特徴とする請求項１〜８のいずれか１項に記載の図案。
【請求項１０】
前記画像隠し体は、前記画像形成体の浮き出しのある表面に接し、かつ、前記画像形成体の浮き出しのある表面の屈折率に類似する屈折率を有する
ことを特徴とする請求項１〜９のいずれか１項に記載の図案。
【請求項１１】
前記画像隠し体は、前記画像形成体の浮き出しのある表面の屈折率と同じ屈折率を有する
ことを特徴とする請求項１０に記載の図案。
【請求項１２】
前記画像隠し体は、前記画像形成体から反射した光が隠し画像を通過できるように配置される
ことを特徴とする請求項１〜１１のいずれか１項に記載の図案。
【請求項１３】
前記画像隠し体は、前記画像形成体に入射する光が隠し画像を通過できるように配置される
ことを特徴とする請求項１〜１２のいずれか１項に記載の図案。
【請求項１４】
前記画像隠し体による光の吸収、散乱又は反射は、画像を薄くする作用を有し、かつ、信号に応答して変化する
ことを特徴とする請求項１〜１３のいずれか１項に記載の図案。
【請求項１５】
前記浮き出しのある表面は、不透明である
ことを特徴とする請求項１３に記載の図案。
【請求項１６】
前記画像形成体は、反射若しくは送波により１つ以上の可視画像を形成する複素屈折率の体積分布を有する
ことを特徴とする請求項１〜１４のいずれか１項に記載の図案。
【請求項１７】
前記画像形成体は複数の層を含み、上層は浮き出しのある表面を含み、その下の層は複素屈折率の体積分布を有する
ことを特徴とする請求項１６に記載の図案。
【請求項１８】
ホログラフィー又は回折図案であって、
材料の第一のシートの一表面において浮き出しパターンを含み、これによって、反射光により画像が形成され、また、前記図案は、前記浮き出しパターンに接していて画像を薄くする被覆材料の層を含む薄化体を含み、前記薄化体は化学試薬の影響を受けて画像の薄化を変化させる
ことを特徴とする図案。
【請求項１９】
前記浮き出しパターンは２つ以上の画像を生成し、前記薄化手段を試薬で処理することによって、少なくとも１つの画像の薄化が変化する
ことを特徴とする請求項１８に記載の図案。
【請求項２０】
前記の材料の第一のシートは、前記被覆材料の層の屈折率に類似する屈折率を有する
ことを特徴とする請求項１８又は１９に記載の図案。
【請求項２１】
前記の材料の第一のシートは、前記被覆材料の層の屈折率と同じ屈折率を有する
ことを特徴とする請求項２０に記載の図案。
【請求項２２】
前記の材料の第一のシートは、透明ではない
ことを特徴とする請求項１８〜２１のいずれか１項に記載の図案。
【請求項２３】
前記の材料の第一のシートは、不透明である
ことを特徴とする請求項２２に記載の図案。
【請求項２４】
前記被覆材料の層は、透明ではない
ことを特徴とする請求項１８〜２３のいずれか１項に記載の図案。
【請求項２５】
前記被覆材料の層は、不透明である
ことを特徴とする請求項２４に記載の図案。
【請求項２６】
前記の材料の第一のシートは、その内部に、ホログラフィー画像を形成する複素屈折率の体積分布を有する
ことを特徴とする請求項１８〜２５のいずれか１項に記載の図案。
【請求項２７】
前記の材料の第一のシートの下に、材料の第二のシートをさらに含み、前記の材料の第二のシートは、反射若しくは送波により可視画像を形成する複素屈折率の体積分布を有する
ことを特徴とする請求項１８〜２６のいずれか１項に記載の図案。
【請求項２８】
前記化学試薬は酵素を含み、前記薄化手段は前記酵素に対する基質を１つ以上含み、前記薄化は前記酵素の前記基質に対する作用に応答して変化する
ことを特徴とする請求項１８〜２７のいずれか１項に記載の図案。
【請求項２９】
前記化学試薬は溶媒を含み、前記薄化手段は、前記溶媒に溶解して前記薄化を変化させることができる材料を含む
ことを特徴とする請求項１８〜２８のいずれか１項に記載の図案。
【請求項３０】
前記薄化手段は、特定の化学試薬による作用を受けるまで画像を隠している
ことを特徴とする請求項１８〜２９のいずれか１項に記載の図案。
【請求項３１】
媒体、及び、前記媒体中に配置したホログラムを含むホログラフィー図案であって、
前記媒体は複屈折材料を含み、その中にホログラムが記録されている
ことを特徴とする図案。
【請求項３２】
前記媒体は、例えばコレステリックの整列で、複数の液晶群を含む
ことを特徴とする請求項３１に記載の図案。
【請求項３３】
前記媒体は光学的に活性であり、前記媒体は１つ以上の光学活性群を含む
ことを特徴とする請求項３１又は３２に記載の図案。
【請求項３４】
前記ホログラムは光の回折によって生成する
ことを特徴とする請求項１〜３３のいずれか１項に記載の図案。
【請求項３５】
前記ホログラムは拡大すると見ることができる
ことを特徴とする請求項１〜３４のいずれか１項に記載の図案。
【請求項３６】
前記ホログラフィー画像は、物体、又は、２次元若しくは３次元効果の画像である
ことを特徴とする請求項１〜３５のいずれか１項に記載の図案。
【請求項３７】
レーザ光に照射されると干渉効果を生成する手段をさらに含む
ことを特徴とする請求項１〜３６のいずれか１項に記載の図案。
【請求項３８】
前記手段は、偏光を解消する層を含む
ことを特徴とする請求項３７に記載の図案。
【請求項３９】
前記ホログラムは、白色光、ＵＶ光又は赤外線下で見ることができる
ことを特徴とする請求項１〜３８のいずれか１項に記載の図案。
【請求項４０】
前記ホログラムは、特定の温度条件、磁気条件又は圧力条件下で見ることができる
ことを特徴とする請求項１〜３８のいずれか１項に記載の図案。
【請求項４１】
ホログラフィーセンサである
ことを特徴とする請求項１〜４０のいずれか１項に記載の図案。
【請求項４２】
化学的種、生化学的種若しくは生物学的種に対して感受性がある
ことを特徴とする請求項４１に記載の図案。
【請求項４３】
請求項１〜４２のいずれか１項に記載の図案を、取り付けた状態で、又は、組み込んだ状態で含む物品。
【請求項４４】
金融取引カード、銀行券、パスポート、身分証明証、スマートカード、運転免許証、株券、債務証書、小切手、小切手保証カード、タックスバンダロール、ギフト券、郵便切手、鉄道チケット又は航空チケット、テレフォンカード、くじ券、イベントチケット、クレジットカード又はデビットカード、業務用名刺、又は、消費者、商標及び製品を保護する際に偽造品と本物の製品とを区別する目的、又は、盗品を確認する目的のアイテムとして使用される
ことを特徴とする請求項４３に記載の物品。
【請求項４５】
本明細書中に定義する、識別力を有するパッケージのアイテムである
ことを特徴とする請求項４３に記載の物品。
【請求項４６】
宝飾品類、衣類（履物を含む）、織物、家具、玩具、進物、家庭用品（陶磁器類及びガラス器を含む）、建築物（ガラス、タイル、塗料、金属、レンガ、陶磁器、木、プラスチック、並びに、他の内装及び外装を含む）、芸術品（絵画、彫刻、陶器及び照明装置を含む）、文房具類（あいさつ状、レターヘッド及び宣伝製品を含む）及びスポーツ用品から選択される、装飾要素を有する産業製品又は手工芸品である
ことを特徴とする請求項４３に記載の物品。
【請求項４７】
農学研究、環境学研究、人間又は獣医学における予後、治療的診断、診断、治療又は化学的分析において使用するための製品又は装置である
ことを特徴とする請求項４３に記載の物品。
【請求項４８】
試験紙、チップ、カートリッジ、綿球、チューブ、ピペット、コンタクトレンズ、結膜下インプラント、皮下インプラント、飲酒検知器、カテーテル、又は、液体サンプリング装置若しくは分析装置である
ことを特徴とする請求項４７に記載の物品。
【請求項４９】
請求項１〜４２のいずれか１項に記載の図案を含むことを特徴とする
転写可能なホログラフィーフィルム。
【請求項５０】
ホットスタンプテープ上に配置される
ことを特徴とする請求項４９に記載のフィルム。
【請求項５１】
前記図案を、請求項４９又は５０に記載のフィルムから前記物品の上に転写することを含む
ことを特徴とする物品のセキュリティを高める方法。
【請求項５２】
前記図案からデータを作成することができる
請求項１〜４２のいずれか１項に記載の図案を含む製品。
【請求項５３】
請求項５２に記載の製品によって作成したデータを使用して、データ記憶、制御、送信、報告及び／又は設計を実施するシステム。
【請求項５４】
ホログラフィー又は回折図案が本物であるかどうかを実証する方法であって、
前記図案は、特定の送信手段からの信号に応答して変化するホログラフィー画像又は回折画像を提供し、かつ、
次の段階： 
前記図案に特定の送信手段を適用する段階；
画像を見る段階；及び、
得られる画像が原物の図案と一致しているかどうかを確認する段階：を含む
ことを特徴とする方法。
【請求項５５】
製品が本物であるかどうかを実証する方法であって、
前記製品上にはホログラフィー又は回折図案があって、前記図案は、特定の送信手段からの信号に応答して変化するホログラフィー画像又は回折画像を提供し、前記方法は、次の段階： 
前記図案に特定の送信手段を適用する段階；
画像を見る段階；及び、
得られる画像が、原物の製品に以前に適用された図案と一致しているかどうかを確認する段階：を含む
ことを特徴とする方法。
【請求項５６】
ホログラフィー画像又は回折画像を隠す又は現す方法であって、
次の段階： 
画像隠し体を適用することによって、画像形成体によって形成されたホログラフィー画像又は回折画像を薄くする段階；及び、
送信手段を使用して画像隠し体に信号を送ることにより画像の薄化を変化させて、これによって画像を隠す又は現す段階：を含む
ことを特徴とする方法。
【請求項５７】
ホログラフィー図案の製造方法であって、
ポリマー媒体の選択的な（脱）重合によるホログラムの記録を含み、前記媒体は記録中は膨張可能な状態であり、かつ、記録中の照射の程度は媒体の全域に渉って異なる
ことを特徴とする方法。
【請求項５８】
前記選択的な（脱）重合は、フリーラジカル阻害剤を使用して実施される
ことを特徴とする請求項５７に記載の方法。
【請求項５９】
前記の照射の程度は、グレースケールマスクを使用することによって変化させる
ことを特徴とする請求項５７又は５８に記載の方法。
【請求項６０】
ホログラフィーセンサの製造方法であって、
次： 
（ａ）  収縮可能な又は拡大可能なホログラフィー支持媒体中にホログラフィー記録材料を配置する段階；
（ｂ）  前記媒体を収縮又は拡大させる段階；及び、
（ｃ）  収縮した又は拡大した媒体中でホログラフィー画像を記録する段階：を含み、前記記録材料は前記媒体が収縮又は拡大する前に前記媒体中に配置される
ことを特徴とする方法。
【請求項６１】
画像を記録した後、さらに前記媒体を拡大又は縮小させる
ことを特徴とする請求項６０に記載の方法。
【請求項６２】
前記媒体は、前記媒体を縮小又は拡大させる液体と接している
ことを特徴とする請求項６０又は６１に記載の方法。
【請求項６３】
前記液体はイオン性溶液であり、前記媒体の大きさはイオン強度によって異なる
ことを特徴とする請求項６３に記載の方法。
【請求項６４】
前記媒体を縮小させた後で画像を記録する
ことを特徴とする請求項６０〜６３のいずれか１項に記載の方法。
【請求項６５】
請求項５７〜６４のいずれか１項に記載の方法により取得したホログラフィーセンサ。
【発明の詳細な説明】
【技術分野】
【０００１】
本発明は、様々な物品及び製品が本物であるかどうかの確認に使用するのに好適なホログラフィー又は回折図案（ｄｅｖｉｃｅ）に関する。
【背景技術】
【０００２】
ホログラフィーのセキュリティラベルは現在、エンボス加工した箔を大量生産することによって大量生産されている。様々な程度のセキュリティが、多数の画像、画像の複雑性、多数の色、多数の照明形式、通信文、コード化通信文、可視画像、隠し画像及びラベル除去の防止を組み合わせることによって実施される。
【０００３】
目に見える印刷物に貼るための、半透明のエンボス加工反射ホログラムが知られている。特許文献１中には、透明なエンボス加工層を含む反射ホログラムが開示されていて、その反射率はスズ−タングステンオキシドの層によって増大している。特許文献２中には、透明なエンボス加工層を含む反射ホログラムを作成する、費用対効果の大きな方法が開示されていて、その反射率は硫化亜鉛の層によって増大している。特許文献３中には、透明なエンボス加工層を含む反射ホログラムが開示されていて、その反射率は、屈折率の異なる層を貼ることによって増大している。これらの方法によって、安定な画像（すなわち、正常時に可視性又は外観が変化しないように設計された画像）を生じる、エンボス加工反射ホログラム構造が作成される。
【０００４】
特許文献４中には、透明なエンボス加工層を含む反射ホログラムが開示されていて、その反射は透明な層を付けることによって抑制されていて、この層を手で取り除くとホログラフィー画像が目に見えるようになる。この図案は、屈折率整合層を手で取り除くことによって容易に現すことができる、エンボス加工された隠し反射ホログラムを提供するための手段である。
【０００５】
隠しホログラフィー画像を提供する別の方法としては、特許文献５中に開示されるように、蓄積された画像を、集束光によってのみ読み出されるように形成することが挙げられる。
【０００６】
ホログラフィーの、セキュリティラベル以外の化学的な感知の分野において、回析格子及び他の表層構造の光学回折特性を改変することにより機能して、化学的分析標的の存在又は濃度を感知するための、いくつかの図案及び方法が報告されている。特許文献６〜８のいずれにおいても、化学的リガンドが付着したポリマーで回析格子を処理して、化学的分析標的のリガンドへの結合によって格子の光学特性を変化させる方法が開示されている。この種の光学図案は、回折光の強度又は色のわずかな変化を感知することによって、分析標的の存在又は濃度等の変化を解釈することを目的とするものである。これらは、画像形成図案でもセキュリティラベルでもない。
【０００７】
特許文献９中には、ホログラフィーセンサが開示されている。このセンサはホログラフィー支持媒体を含み、上記媒体全体にホログラムが配置されたものである。上記支持媒体と分析標的とが相互作用することにより上記媒体の物性が変化する。この変化によりホログラフィー素子の光学特性（分極性、反射率、屈折率又は吸光度等）の変化が生じる。（例えば広帯域入射光である非電離電磁放射線を使用した）ホログラムの再生中に何か変化が生じると、光学検波器の使用により例えば色の変化が観察されるであろう。光学検波器は分光計であってもよいし、単純に人間の目であってもよい。
【０００８】
特許文献１０中には、ホログラフィーセンサを作成する別の方法について記載されている。まずポリマーフィルムを作成してから感光性ハロゲン化銀粒子を添加する、連続的な処理法が用いられている。可溶性の塩を散乱させて、この粒子をポリマーマトリックス中に導入して反応させることによって、感光性で不溶性の沈殿物が形成される。その後、ホログラフィー画像を記録する。
【０００９】
特許文献１１中には、ホログラフィーを複数回記録することを含むホログラフィーセンサが記載されている。個々のホログラフィー画像の存在又は発生は、分析標的に対するセンサの応答に関連して目で見ることができる；この応答には、目に見える画像の発生又は消失又は変化が含まれ得る。概して、個々の画像が有する反射スペクトルは、光の不可視スペクトル又は可視スペクトル中での位置に特徴がある。スペクトル中での位置は個々の画像ごとに異なっている可能性があることから、画像を波長選択式な手段によって分離することができ、従って画像は波長多重である。記録中、支持媒体の膨張状態が照射のたびに異なるために、再生波長の異なる画像を作成することができる。
【００１０】
特許文献１２中には、「銀を含まない」ホログラフィーセンサが記載されており、このセンサのホログラフィー縞は、液体中における膨張度の差異によって境界が定められている。ホログラフィー画像は、支持媒体の選択的な（脱）重合によって記録され、記録中、上記媒体は膨張可能な状態である。感受性ポリマーマトリックスを形成する第一段階、及び、マトリックス中のある選択した部分の重合率又は重合型を変える第二段階という二つの重合段階を含む方法により、ホログラフィー画像が形成される。上記の第二段階は、マトリックスを更に架橋すること又は相互貫入ポリマーを形成することを含んでいてもよい。
【特許文献１】米国特許ＵＳ５３５１１４２
【特許文献２】米国特許ＵＳ５７８１３１６
【特許文献３】米国特許ＵＳ４８５６８５７
【特許文献４】米国特許ＵＳ５８３８４６６
【特許文献５】米国特許ＵＳ５７４２４１１
【特許文献６】国際特許ＷＯ８８／０７２７３
【特許文献７】欧州特許ＥＰ０２５４５７５
【特許文献８】米国特許ＵＳ５１１８６０８
【特許文献９】国際特許ＷＯ９５／２６４９９
【特許文献１０】国際特許ＷＯ９９／６３４０８
【特許文献１１】国際特許ＷＯ０１／５０１１３
【特許文献１２】国際特許ＷＯ０４／０８１６７６
【発明の開示】
【発明が解決しようとする課題】
【００１１】
本発明は、上記の種類のセンサはセキュリティ分野における有用性が制限されている可能性がある、という認識に基づくものである。また、本発明は、ホログラフィー図案の偽造をより困難にすることができる様々な技術の発見にも基づくものである。特に、本発明は、物品又は製品に適用するための、改善されたエンボス加工反射ホログラフィー又は回折パターン図案を提供するものであり、これによって、化学上特定の目的を有する作用を故意に実施することにより屈折率整合層を取り除き又はその特性を変化させ、隠し画像を現して、ホログラフィー図案及び／又はこの図案を付けた物品若しくは製品が本物であるかどうかを試験することができる。
【課題を解決するための手段】
【００１２】
本発明の第一の態様によれば、画像の表示を送信機（ｉｎｔｅｒｒｏｇａｔｏｒ）によって改変可能なホログラフィー又は回折パターン図案について、この図案は画像形成体及び画像隠し体を含む；上記画像形成体は、画像形成体から反射された又は画像形成体を通過した光が少なくとも１つのホログラフィー画像又は回折画像を形成するのに適応している；上記画像隠し体は、ホログラフィー画像を薄くする作用をする；かつ、上記送信機は、上記画像隠し体によるホログラフィー画像又は回折画像の薄化を変化させる作用をする。
【００１３】
本発明の第二の態様によれば、ホログラフィー又は回折パターン図案は、材料の第一のシートの一表面において浮き出しパターン（画像形成体と呼ぶ場合もある）を含み、これによって、反射光により１つ以上のホログラフィー画像又は回折画像が形成され、また、上記図案は、化学薬品に感受性のある材料の層を、上記浮き出しパターンに塗布された状態で含み、上記層は、上記浮き出しパターンによって形成されるホログラフィー画像又は回折画像を隠す特性と、上記層が１つ以上の特定の化学試薬による劣化を受けやすくする特性とを併せて有する。
【００１４】
本発明の第三の態様は、媒体、及び、上記媒体上に配置したホログラムを含むホログラフィー図案であって、上記媒体は複屈折材料を含み、その中にホログラムが記録されている。
【００１５】
本発明の別の態様は、ホログラフィー又は回折図案が本物であるかどうかを実証する方法であって、上記図案は、特定の送信手段（ｉｎｔｅｒｒｏｇａｔｉｏｎ  ｍｅａｎｓ）からの信号（ｉｎｔｅｒｒｏｇａｔｉｏｎ）に応答して変化するホログラフィー画像又は回折画像を提供し、上記方法は、次の段階： 
上記図案に特定の送信手段を適用する段階；
画像を見る段階；及び、
得られる画像が原物の図案と一致しているかどうかを確認する段階：を含む
ことを特徴とする方法である。
【００１６】
更に別の態様は、製品が本物であるかどうかを実証する方法であって、上記製品上にはホログラフィー又は回折図案があって、上記図案は、特定の送信手段からの信号に応答して変化するホログラフィー画像又は回折画像を提供し、上記方法は、次の段階： 
上記図案に特定の送信手段を適用する段階；
画像を見る段階；及び、
得られる画像が、原物の製品に以前に適用された図案と一致しているかどうかを確認する段階：を含む
ことを特徴とする方法である。
【００１７】
本発明のまた別の態様は、ホログラフィー画像又は回折画像を隠す又は現す方法であって、次の段階： 
画像隠し体を適用することによって、画像形成体によって形成されたホログラフィー画像又は回折画像を薄くする段階；及び、
送信手段を使用して画像隠し体に信号を送ることにより画像の薄化を変化させて、これによって画像を隠す又は現す段階：
を含むことを特徴とする方法である。
【００１８】
本発明のまた別の態様は、ホログラフィー図案の製造方法であって、ポリマー媒体の選択的な（脱）重合によるホログラムの記録を含み、上記媒体は記録中は膨張可能な状態であり、かつ、記録中の照射の程度は媒体の全域に渉って異なることを特徴とする方法である。
【００１９】
本発明の更に別の態様は、上記ホログラフィー画像が記録される際の支持媒体の収縮によって再生波長が増大し、これにより、得られるセンサの感度が増大する、という発見に基づく。従って、ホログラフィーセンサの製造方法は、次： 
（ａ）  収縮可能な又は拡大可能なホログラフィー支持媒体中にホログラフィー記録材料を配置する段階；
（ｂ）  上記媒体を収縮又は拡大させる段階；及び、
（ｃ）  収縮した又は拡大した媒体中でホログラフィー画像を記録する段階：を含み、上記記録材料は上記媒体が収縮又は拡大する前に上記媒体中に配置される。
【００２０】
記録中に上記媒体の収縮又は拡大の程度を制御することによって、再生波長を正確に制御することができ、これにより、得られるセンサの感度を正確に制御することができる。このようにして製造されたセンサは、分析標的の検出、又は、セキュリティ／本物であるかどうかの確認において使用することができる。
【００２１】
本発明は、改善されたエンボス加工反射ホログラフィー図案であって、上記図案又は上記図案を付けた物品が本物であるかどうかを試験するために使用することができる図案を提供するものである。上記図案はエンボス加工されていてもよい。
【００２２】
別の実施形態において、材料の第一のシートは、浮き出しパターンに加えて、若しくは、浮き出しパターンの代わりに、反射により１つ以上の可視画像を形成する複素屈折率の体積分布を有していてもよい、又は、反射若しくは送波により１つ以上の可視画像を形成する複素屈折率の体積分布を有する材料の第一のシートの下に、材料の第二のシートが提供されていてもよい。
【００２３】
上記の材料の第一のシートは、不透明であってもよい。あるいは、上記の材料の第一のシートは、光学的に透明、かつ、化学薬品に感受性のある材料の層の屈折率に類似する屈折率を有していてもよい。上記の材料の第一のシートは、１つ以上のホログラフィー画像又は回折画像を形成する複素屈折率の分布をその内部に有していてもよい。
【００２４】
上記の化学薬品に感受性のある材料の層は、不透明であってもよい。あるいは、上記の化学薬品に感受性のある材料の層は、光学的に透明、かつ、材料の第一の層の屈折率に類似する屈折率を有していてもよい。
【００２５】
上記の化学薬品に感受性のある材料の層は、その全体又はその一部として、１つ以上の酵素に対する１つ以上の基質、又は、１つ以上の溶媒に溶解し得る１つ以上の材料から構成されていてよい。
【００２６】
好ましくは、上記画像形成手段は浮き出しのある表面を含み、この浮き出しのある表面に光が反射すると、反射光が画像を形成する。上記浮き出しのある表面は、不透明であってもよい。
【００２７】
好ましくは、上記画像隠し手段は、画像薄化作用のある光学特性を有する材料の層を含む。好ましくは、上記送信手段は、上記画像隠し手段に対して特異的に作用する化学試薬を含む。
【００２８】
上記送信機は、画像隠し手段の光学特性を変化させる作用を有していてもよく、例えば、上記送信機は、上記画像隠し手段を部分的に又は全体的に取り除く作用を有していてもよい。
【００２９】
上記画像隠し手段は、酵素の基質を含んでいてもよい、又は、溶媒に溶解し得る材料を含んでいてもよい。上記手段は、上記画像形成手段の上記浮き出しのある表面に接し、かつ、上記画像形成手段の上記浮き出しのある表面の屈折率に類似する屈折率を有していてもよい。化学試薬によって変化する上記画像隠し手段の光学特性は、すべて又は一部の上記画像隠し手段の屈折率を含んでいてもよい。上記手段は、上記画像形成手段から反射した光、又は、上記画像形成手段に入射する光が通過できるように配置されていてよい。上記画像隠し手段による光の吸収は、それぞれの画像を薄くする作用を有していてもよい；上記画像隠し手段による光の吸収は、上記送信手段の作用によって変化する。上記画像隠し手段による光の散乱は、個々の画像を薄くする作用を有していてもよい；上記画像隠し手段による光の散乱は、上記送信手段の作用によって変化する。
【００３０】
上記画像形成手段は、上記の代わりに、又は、上記に加えて、反射により１つ以上の可視画像を形成する複素屈折率の体積分布を有する。上記手段は複数の層を含んでいてもよく、最上層は浮き出しのある表面を含み、下層は反射若しくは送波により１つ以上の可視画像を形成する複素屈折率の体積分布を有する。
【００３１】
従って、本発明の好ましい実施形態は、１つ以上の隠しホログラム、又は、隠しセキュリティホログラムと可視セキュリティホログラムとの組み合わせを含む図案であって、特定の化学薬品から信号を送信することによって、上記図案を付けた製品が本物であるかどうかを示すことができる、又は、肯定応答がない場合にはこの製品が偽物である可能性があることを示すことができるように設計されている図案である。上記方法は、さらに、ホログラフィー図案自体が本物であるかどうかの指標をも提供する。このような図案において、反射ホログラムは、表面が全く金属コーティングされていない、成型された又は浮き出しのある形式で作成されていてもよく、その反射率は、成型された材料とその近接環境との屈折率の差異に由来する。その後、製造中に、ホログラムの屈折率に類似する屈折率を有する透明な層を、浮き出しのある表面の上に適用することによって、ホログラフィー画像が目に見えなくなってもよい。上記層の材料は、劣化し得るように、又は、取り除くことができるように、又は、その屈折率が特定の化学薬品又は化学薬品の特定の混合物の作用によって変化し得るように選択されることが好ましい。現れた画像は、有利には複製又は模造が困難であってよく、従ってそれ自身、セキュリティ効果がある。
【００３２】
別の実施形態において、ホログラムではなく回折画像が生成される可能性がある。
【００３３】
上述の記述から、本発明が一連の可能な実施形態についても考慮していることは、当業者には明白であろう。作動の原理の点については、下記が含まれる。
【００３４】
上記画像形成体は、任意の種類のホログラフィー又は回折図案を含んでいてもよい。例えば、上記画像形成体は、例えば異なる画像を作成するために、エンボス加工表面等の表面の浮き出し要素、又は、位相ホログラム若しくは吸収ホログラム等の体積要素を含んでいてもよい、又は、表面の浮き出し要素及び体積要素の両方を含んでいてもよい。
【００３５】
表面の浮き出し要素を使用して隠し画像を生成させる場合、この表面の浮き出し要素を画像隠し体と組み合わせることによって、表面の浮き出し要素の屈折率と調和させて反射を抑制することができる、又は、不透明若しくは散乱する層を有して画像を不明瞭にすることができる。
【００３６】
体積要素を使用して隠し画像を生成させる場合、この体積要素を、画像を不明瞭にするための不透明若しくは散乱する層を含む、又は、画像が有色である場合には、画像を不明瞭にするためのカラーフィルタ機能を有する画像隠し体と組み合わせることができる。カラーフィルタ機能を使用する場合、信号によってフィルタの色が変化するであろう、又は、フィルタが取り除かれるであろう。
【００３７】
表面の浮き出し要素を使用して可視画像を生成させる場合、例えば隠し画像を形成するために上記図案が体積要素をさらに含んでいる場合、上記画像隠し体はカラーフィルタ機能を有していてもよい。
【００３８】
体積要素を使用して可視画像を生成させる場合、例えば隠し画像を形成するために上記図案が表面の浮き出し要素をさらに含んでいる場合、上記画像隠し体は透明であってよく、かつ、上記表面の浮き出し要素の屈折率と調和する屈折率を有していてもよい。
【００３９】
屈折率を調和させる技術又はカラーフィルタ技術を使用して画像を隠す場合又は現す場合、対応する送信技術を適用することによって、上記画像隠し体によって隠されていた画像を現すことができること、又は、上記画像隠し体によって隠されていなかった画像を隠すことができることに着目するべきである。一例として、送信手段が適用される場合にのみ、屈折率が調和している画像隠し体が表面の浮き出し画像形成体を覆っていて（上記画像隠し体の屈折率は上記画像形成体の屈折率と調和している）、画像を隠している場合が挙げられる。
【００４０】
上述するように、送信手段は、画像を現す目的で又は隠す目的で、画像隠し体を改変するための、変化させるための、又は、取り除くための任意の手段を含んでいてもよい。例としては、水、界面活性剤、（例えば材料の屈折率を変化させるための）加熱又は冷却の適用、溶媒、酵素、酸、又は、塩基が含まれる。
【００４１】
更なる実施形態において、画像隠し体によって、下層の画像形成体の一部領域のみが不明瞭になっていてもよい。
【００４２】
本発明のホログラムは、複屈折の支持媒体中で記録されてもよい。理論上、このようなホログラムの偽造は事実上不可能であると考えられる。というのは、「複製」中、元のホログラムから反射した光の偏光状態と、記録材料にあたる光の偏光状態とが異なるからである。従って、偏光状態の異なる光ではホログラムを形成することができないため、複製は不完全となる。この種類のホログラムは、例えば重合により、ホログラフィー支持媒体中に液晶又は光学活性群（例えばＬ−システイン）を組み込むことによって形成できる。ホログラムは、例えば偏光フィルタを使用して見ることができ、反射光の偏光による画像の出現及びその後の消滅は媒体によって変化する。
【００４３】
本発明は、色勾配を有するホログラムの製造技術にも関する。「銀を含まない」重合方法を使用する場合、生じる画像の再生波長は、記録中の照射時間に応じて異なるということが発見されている。この結果は、フリーラジカル阻害剤を使用する、選択的な（脱）重合によって形成された画像の場合に、特に顕著である。従って、照射の程度が記録媒体の全域に渉って異なる場合、生じるホログラムは複数の波長で再生されることになる。照射の程度は、例えばグレースケールマスク（ｇｒｅｙ−ｓｃａｌｅ  ｍａｓｋ）を使用することによって、変化させることができる。この方法は、照射の度に支持媒体が拡大又は収縮する必要がないため、従来の技術よりはるかに単純である。従って、本発明は、（事実上偽造不可能な勾配等の）複雑な色勾配を有するホログラムを製造するための、単純かつ実施可能な手段を提供する。
【００４４】
体積ホログラムを使用することによってセキュリティを改善する際に使用可能な技術には、主として２つの技術が挙げられる。第一としては、ホログラフィー画像の中で多数の色及び／又は色勾配を使用することによって、偽造を顕著に困難にすることを含む方法である。第二の方法は、特定の感受性を有するセンサホログラムを使用することによって、特定の刺激又は一連の刺激がセンサへ送信された際に、画像を出現又は消滅させることができる方法である。これらのセンサホログラムのアレイを使用することによって、セキュリティの特徴を増強することができる。これらの２つの技術を併用することによって、偽造が非常に困難な体積ホログラムを製造することができる。
【００４５】
第一の技術については、異なる色画像又は色画像の勾配を有するホログラムを、記録過程の間にポリマー材料の膨張状態を制御することによって、製造する。これは、ポリマーを、異なる溶媒、湿気、熱、圧力又は化学薬品の中で、ホログラムを記録する前にあらかじめ膨張させることによって／あらかじめ収縮させることによって、実施することができる。
また、これは、ポリマーのある部分を化学的かつ選択的に強固にする又は柔軟にすることによって実施することも可能である。ホログラムが乾燥している場合、ポリマーの膨張の程度によって、ホログラフィー画像の再生色が決定されるであろう。両方の系を使用すれば、膨張する勾配を作成することによって、ホログラフィー画像の中に色勾配を作成することも可能である。多数の色及び／又は色の勾配を使用すると、単一レーザを使用するホログラムの偽造はほぼ不可能であり、また、周波数の異なる多数のレーザを使用しても偽造は非常に困難である。ポリマーの膨張状態が異なる状態で記録することにより、色の異なる画像を互いに重ねることができるが、この場合にも偽造が非常に困難になるであろう。この系を使用すれば、ポリマーが特定の膨張状態にある場合に出現又は消滅する画像を作成することができ、これによりセキュリティ性が増強されるであろう。
【００４６】
第二の技術においては、特定の刺激に対して感受性のある機能性ポリマーを、ホログラムの記録材料として使用する。第一の技術を使用することによって、機能性ポリマーにより多色の画像を記録することができ、機能性ポリマーが応答する特定の刺激をポリマーが受けた場合にこれらを変化、出現又は消滅させることができる。記録過程において機能性ポリマーの規則的な変化を使用し、かつ、異なる機能性ポリマーのアレイを使用することによって、この系のセキュリティ性をさらに増強することができる。
【００４７】
ホログラフィーの効果は、（例えば白色光、ＵＶ又は赤外線下における）照明、特定の温度条件、磁気条件若しくは圧力条件、又は、特定の化学的、生化学的若しくは生物学的な刺激によって、示される可能性がある。ホログラムは、物体、又は、２次元若しくは３次元効果の画像であってもよく、また、拡大した場合にのみ目に見えるようなパターンの形状であってもよい。
【００４８】
本発明のホログラムは、物品が本物であるかどうかを確認するために使用することができる。上記ホログラムは、例えばホットスタンプテープ上において、転写可能なホログラフィーフィルムを使用して、物品に適用してもよい。上記物品は、金融取引カード、銀行券、パスポート、身分証明証、スマートカード、運転免許証、株券、債務証書、小切手、小切手保証カード（ｃｈｅｑｕｅ  ｃａｒｄ）、タックスバンダロール（ｔａｘ  ｂａｎｄｅｒｏｌｅ）、ギフト券、郵便切手、鉄道チケット又は航空チケット、テレフォンカード、くじ券、イベントチケット、クレジットカード又はデビットカード、業務用名刺、又は、消費者、商標及び製品を保護する際に偽造品と本物の製品とを区別する目的、及び、盗品を確認する目的のアイテムとして使用することができる。上記ホログラムを使用することによって、識別力を有するパッケージ用途において、製品及び荷物の情報を提供することができる。「識別力を有するパッケージ」とは、製品の情報を、又は、品質を、又は、製品の品質、保存期間若しくは安全性及び主な用途（例えば、時間−温度、鮮度、湿気、アルコール、ガス、物理的損傷等を示す指標として等）に影響を及ぼす可能性のある環境条件を、観察、表示又は試験するための、容器、包み又は囲いの一部又は付属品を含む系を指す。上記物品は、歩行抵抗性（ｔｒａｍｐｅｒ−ｐｒｏｏｆ）のラベル又はシールであってもよい。
【００４９】
あるいは、上記ホログラムは、宝飾品類、衣類（履物を含む）、織物、家具、玩具、進物、家庭用品（陶磁器類及びガラス器を含む）、建築物（ガラス、タイル、塗料、金属、レンガ、陶磁器、木、プラスチック、並びに、他の内装及び外装を含む）、芸術品（絵画、彫刻、陶器及び照明装置を含む）、文房具類（あいさつ状、レターヘッド及び宣伝製品を含む）及びスポーツ用品を含むがこれらに限定されない、任意の産業製品又は手工芸品等の装飾要素又は用途を備えた製品に適用することができる。
【００５０】
本発明は、ホログラフィーセンサに特に好適である。
【００５１】
本発明において使用される種類のホログラフィーセンサは、一般的に支持媒体を含み、上記媒体全体にホログラムが配置されている。上記支持媒体と分析標的とが相互作用することによって、上記媒体の物性が変化する。この変化によって、ホログラフィー素子の光学特性（分極性、反射率、屈折率又は吸光度等）の変化が生じる。広帯域入射光である非電離電磁放射線を使用したホログラムの再生中に何か変化が生じると、色の変化が観察されるであろう。
【００５２】
物性を変化させることにより光学特性を変化させる基本的な方法は、多数ある。変化させる物性は、ホログラフィー素子の大きさであることが好ましい。ホログラフィー素子の大きさの変化は、特定の基を支持マトリックス中に組み込み、分析標的との相互作用によりこれらの基の立体配座を変化させて、支持媒体を拡大又は縮小させることによって実施できる。このような基としては、分析標的種と特異的に結合する共役基であることが好ましい。物性を変化させる他の方法としては、支持媒体中の反応性水分の含有量を変化させる方法も挙げられるであろう。
【００５３】
ホログラフィーセンサは、支持媒体の組成を変えるだけで様々な分析標的の感知に使用することができる。媒体はポリマーマトリックスを含むことが好ましく、その組成は、高品質のフィルム（すなわち、ホログラフィー縞を形成できる均一なマトリックスを有するフィルム）を得るのに適していなければならない。マトリックスは、例えば（メタ）アクリルアミド及び／又は（メタ）アクリレート由来のモノマーの共重合により形成されていてよく、また架橋されていてよい。特にＨＥＭＡ（ヒドロキシエチルメタクリレート）モノマーは、容易に重合及び架橋することができる。ＨＥＭＡポリマーは、膨張可能かつ親水性で生体適合性が広いため、支持媒体材料として広く用いられる。本発明において使用するのに好適な他の材料は、ＷＯ９５／２６４９９及びＷＯ９９／６３４０８（その内容は本明細書中に参照する）中に記載されている。「機能性」ポリマー、すなわち、その周囲の１つ以上の特定の分析標的（例えば体積の変化）に応答する材料が好ましい。上記センサは、ＷＯ９５／２６４９９、ＷＯ９９／６３４０８及びＷＯ０４／０８１６７６中に記載される方法によって調製されたものであってもよい。
【００５４】
変化するホログラフィー素子の特性は、電荷密度、体積、形、密度、粘度、強度、硬度、電荷、疎水度、膨張度、整合度、架橋密度等の任意の物性であってよい。上記各物性が変化すると、分極性、反射率、屈折率又は吸光度等のホログラフィー素子の光学特性が変化する。
【００５５】
上記の相互作用は、非電離放射線を用いて間接的に感知することができる。ホログラフィー媒体と分析標的種の相互作用の程度は、物性の変化の程度に反映され、これは、光学特性の変化（好ましくは非電離放射線の波長シフト）として検出される。
【００５６】
記録過程において上記媒体の収縮又は拡大の程度を制御することによって、再生波長を正確に制御することができ、これによって、得られるセンサの感度を正確に制御することができる。感受性が制御されたホログラフィーセンサは、以下：収縮可能な又は拡大可能なホログラフィー支持媒体中へのホログラフィー記録材料の配置；上記媒体の収縮又は拡大；及び、収縮した又は拡大した媒体中におけるホログラフィー画像の記録：によって製造することができ、上記記録材料は、上記媒体が収縮又は拡大する前に上記媒体中に配置される。上記支持媒体の収縮又は拡大は、記録中に好適な液体中に上記媒体を浸漬することによって実施することができる。単なる例であるが、ＮａＮＯ３又はエタノールの溶液を使用して、アクリルアミドに基づく支持媒体を収縮させることができる。この場合、得られるセンサの再生波長及び感度は、上記溶液の濃度を制御することによって正確に制御することができる。
【００５７】
ホログラフィーセンサは、試験紙、チップ、カートリッジ、綿球、チューブ、ピペット、又は、任意の形式の液体サンプリング装置若しくは試験装置、及び、人間又は獣医学における予後、治療的診断（ｔｈｅｒａｎｏｓｔｉｃｓ）、診断又は薬に関する製品又は方法において使用することができる。上記センサは、コンタクトレンズ、結膜下（ｓｕｂ−ｃｏｎｊｕｃｔｉｖａｌ）インプラント、皮下インプラント、試験紙、チップ、カートリッジ、綿球、チューブ、飲酒検知器、カテーテル、又は、任意の形式の血液、尿若しくは体液のサンプリング装置若しくは分析装置において使用することができる。ホログラフィーセンサは、例えば試験紙、チップ、カートリッジ、綿球、チューブ、ピペット、又は、任意の形式の液体サンプリング装置若しくは分析装置等の試験装置といった、石油化学及び化学における分析及び試験に関する製品又は方法においても使用することができる。
【００５８】
上記支持媒体の収縮又は拡大は、記録中に好適な液体中に上記媒体を浸漬することによって実施することができる。単なる例であるが、ＮａＮＯ３又はエタノールの溶液を使用して、アクリルアミドに基づく支持媒体を収縮させることができる。この場合、得られるセンサの再生波長及び感度は、上記溶液の濃度を制御することによって正確に制御することができる。
【００５９】
本発明の特定の実施形態を、図面を参照し、例示によって記載する。
【００６０】
図１は、隠し画像を組み込んだ、本発明の第一の実施形態による図案の断面の概略図を示す。
【００６１】
図２は、可視画像及び隠し画像の両方を組み込んだ、本発明の更なる実施形態による図案の断面の概略図を示す。
【００６２】
図３は、本発明の実施により得られた結果を示す。
【００６３】
本発明の第一の実施形態は、通常の状態では目に見えない（従って隠れた状態で示される）１つ以上の画像を有するホログラフィー図案の断面の概略図を示す図１中に示される。
ホログラムは、エンボス加工表面２を備えた材料１に位置していて、この表面は、材料１とその近接環境との屈折率が異なる場合に反射する。画像を見るためには、上記近接環境は例えば空気であってよい。製造工程中に、エンボス加工された材料１の屈折率に類似する屈折率を有する材料３の層が、エンボス加工表面の上にコーティングされると、ホログラフィー画像は目に見えなくなる。上記実施形態の主な特徴は、追加された層３を形成している材料が、正常な環境条件においては安定であるが、屈折率が変化しやすい、あるいは、生化学薬品又は可溶化剤を含む１つ以上の特定の化学薬品の作用により劣化して取り除かれやすい、ということである。この層３の屈折率が変化すると、又は、この層が取り除かれると、ホログラフィー画像は目に見えるようになる。
【００６４】
製品セキュリティの領域における上記の化学上特定の目的を有する光学ホログラフィー図案の目的は、製品が本物であるかどうかを確認するための限定された手段の提供であって、この手段は、ブランドイメージの維持等のため、目に見えるマークを持たないことが望ましく、上記図案は本質的に透明である。
【００６５】
本発明の別の好ましい実施形態は、通常の状態で目に見える（従って目に見える状態で示す）１つ以上の画像の群を有し、かつ、通常の状態では目に見えない（従って隠れた状態で示す）１つ以上の画像の第二の群を有するホログラフィー図案の断面の概略図を示す図２ａ中に示される。この場合、上記可視ホログラムは、銀、銀塩、架橋ポリマー若しくはフォトポリマーを使用することによって形成された、又は、適切なマトリックス中に支持された体積ホログラムを作成するための他の方法によって形成された、複素屈折率５の体積分布の中に位置する。ホログラムの第二の群は、反射するエンボス加工表面２に位置する。この表面２は、第一の可視体積ホログラムが位置する材料でできていてもよい、あるいは、図２ｂ中に示されるように、別の材料１でできていて、第一の材料の上に層として適用されていてもよい。エンボス加工された材料１の屈折率に類似する屈折率を有する材料３の層をエンボス加工表面２の上にコーティングすることによって、製造中に上記構成要素が目に見えなくなり、これによって、画像の第二の群の構成要素は隠れる。上記実施形態の主な特徴は、追加された層３を形成している材料は、正常な環境条件においては安定であるが、屈折率が変化しやすい、あるいは、生化学薬品又は可溶化剤を含む１つ以上の特定の化学薬品の作用により、劣化して取り除かれやすい、ということである。このようにこの層３が変化すると、又は、取り除かれると、画像の第二の群が目に見えるようになる。製品セキュリティの領域における上記の化学上特定の目的を有する光学ホログラフィー図案の目的は、製品が本物であるかどうかを確認するための限定された手段の提供であって、この手段は、ブランドイメージの維持等のため、目に見えるマークを持つことが望ましく、かつ、本物であるかどうかを試験するための手段をも有することが望ましい。
【００６６】
上述した本発明の実施形態のうちいずれかの１つの用途は、目に見える画像のないアルコール飲料のボトルに付ける透明なラベルであって、万一製品パッケージが複製された場合に偽造者はこのラベルも含めて偽造する必要があるような、製品が本物であるかどうかを確認するための図案の役割をする、透明なラベルとしての用途であってもよい。ある場合においては、被覆層（層３）は、偽造品流通の調査員が特定の化学薬品混合物を使用して取り除かない限り、その位置にとどまるであろう。このような操作によって現れた画像について、製品の商標所有者がその所有権を有してよく、従って、この画像はより有効なセキュリティ図案としての役割を果たすであろう。
【発明を実施するための最良の形態】
【００６７】
以下の実施例により本発明を説明する。
【実施例１】
【００６８】
＜酵素によって信号を送信する、エンボス加工ラベル＞
本発明の主題である図案の一例は可視ホログラムを使用するものであり、この可視ホログラムは、表面がエンボス加工されたホログラフィー格子であって、このホログラフィー格子は、ポリエステル又はポリ塩化ビニル等の透明プラスチック中に刻まれている。建設的干渉（ｃｏｎｓｔｒｕｃｔｉｖｅ  ｉｎｔｅｒｆｅｒｅｎｃｅ）及びブラッグ反射の結果、広帯域光を照射すると、この表面から特有の色が観察される。この例では、その色は藤紫色のスペクトル領域のものであろう。エンボス加工表面上をゼラチンの層で覆うことによって、色は消滅する。得られる図案の特性として、コーティングを水中に浸漬している間は、反射色が可視領域にあってゼラチンの屈折率が変化するが、コーティングが完全に乾燥していると、ゼラチンの屈折率と下の透明なプラスチックの屈折率とが調和するために、フィルム全体が透明になる。この特定の（ゼラチン）フィルムは、湯の中で洗浄することによって、あるいは、トリプシン等のタンパク質分解酵素を適用してフィルムを溶かすことによって、取り除くことができる。このアプローチは、ゼラチン被覆層を、（その一部又はその全体が、特定の酵素又は特定の酵素の群によって開裂可能な１つ以上の構成要素からなる）１つ以上の異なるポリマー材料から作られた被覆層で置き換えれば、多様な他の酵素又は酵素の混合物にも使用することができる。基質の具体的な例としてはデンプンが挙げられ、デンプンは酵素アミラーゼの作用によって除去されるであろう。
【実施例２】
【００６９】
＜溶媒によって信号を送信する、エンボス加工ラベル＞
上記図案の別の例は、実施例１に類似しているが、酵素基質を含む被覆層の代わりに、特定の溶媒中で溶解可能、膨張可能又は収縮可能なポリマー又はポリマー混合物から形成される点が異なる。厚さが変化すると、密度の変化及び構造中への溶媒の添加によって、屈折率が変化する。浮き出しパターンの被覆に使用することができる１つの方法としては溶液流延法が挙げられるが、これに限定されない。例えば、酢酸セルロースの層はアセトン中で溶液流延することができ、上記図案がアセトン中で酢酸セルロースの層から溶解するたとによって、上記図案に信号を送信される可能性がある。
【実施例３】
【００７０】
＜可視体積ホログラムに組み込まれたエンボス加工ラベル＞
上記図案の別の例としては、実施例１又は２として上記に記載した種類のものに、常に目に見える（可視）画像を提供する体積ホログラムを含む下層を追加したものが挙げられる。
【実施例４】
【００７１】
ホログラフィー支持媒体を、アクリルアミド６０ｍｏｌ％、メタクリルアミド３０ｍｏｌ％、メチレンビスアクリルアミド（架橋剤）５ｍｏｌ％、及び、２−アクリルアミド−２−メチル−１−プロパンスルホン酸５ｍｏｌ％を共重合することによって形成した。その後、ハロゲン化銀を上記媒体中に固定した。その後、上記媒体を水中に浸漬し、ホログラフィー画像を記録した。このようにして、更に４つのセンサを、水の代わりの次の溶液の１つを使用して各々形成した：２Ｍ  ＮａＮＯ３、２０％（ｖ／ｖ）エタノール、７Ｍ  ＮａＮＯ３及び４０％（ｖ／ｖ）エタノール（支持媒体の収縮を増大させる効果の順番）。得られるセンサについて、様々なイオン強度の塩化ナトリウム溶液に対する応答を試験した。
【００７２】
図３は、所定のイオン強度についての各センサのピーク回折波長シフトを示す。波長の変化（すなわち感受性）は、４０％（ｖ／ｖ）エタノール（すなわち、支持媒体の収縮が最も大きい液体）中に浸漬した支持媒体中でホログラムを記録することによって得られたセンサの場合に、最も大きかった。
【実施例５】
【００７３】
ホログラムのサンプルを、６３３ｎｍの単一の連続波レーザを使用して作成した。記録材料はゼラチンで、様々な色を発生させるために、ポリマーの異なる区画を異なる溶液に前もって浸漬しておいた。緑の区画は、５％ジエチレングリコール及び１０％トリエタノールアミンの水溶液に前もって浸漬しておいた結果生じたものであり、青い区画は、１０％ジエチレングリコール及び５％トリエタノールアミンの水溶液に前もって浸漬しておいた結果生じたものであり、赤みがかったオレンジ色の区画は事前の浸漬は実施しなかった結果生じたものである。この３色のホログラムは単一レーザでは偽造不可能であろう。前もって浸漬させた混合物を混合して、ジエチレングリコール濃度及びトリエタノールアミン濃度の異なる勾配を形成することによって、ホログラム全体に色の勾配を作成すれば、偽造は不可能であろう。
【図面の簡単な説明】
【００７４】
【図１】隠し画像を組み込んだ、本発明の第一の実施形態による図案の断面の概略図を示す。
【図２−ａ】可視画像及び隠し画像の両方を組み込んだ、本発明の更なる実施形態による図案の断面の概略図を示す。
【図２−ｂ】可視画像及び隠し画像の両方を組み込んだ、本発明の更なる実施形態による図案の断面の概略図を示す。
【図３】本発明の実施により得られた結果を示す。
【図１】
2008502018.tif 000002
【図２−ａ】
2008502018.tif 000003
【図２−ｂ】
2008502018.tif 000004
【図３】
2008502018.tif 000005
【手続補正書】
【提出日】平成18年12月19日(2006.12.19)
【手続補正１】
【補正対象書類名】特許請求の範囲
【補正対象項目名】全文
【補正方法】変更
【補正の内容】
【特許請求の範囲】
【請求項１】
信号に応答するホログラフィー又は回折図案であって、
前記図案は画像形成体及び画像隠し体を含む；前記画像形成体は、画像形成体から反射された又は画像形成体を通過した光が少なくとも１つの画像を形成するのに適応している；前記画像隠し体は、画像を薄くする作用をする；かつ、前記画像隠し体による画像の薄化は前記信号に応答して変化する
ことを特徴とする図案。
【請求項２】
前記画像隠し体は、隠し画像に特異的に作用する化学試薬を用いた信号に応答する
ことを特徴とする請求項１に記載の図案。
【請求項３】
前記画像形成体は浮き出しのある表面を含み、この浮き出しのある表面に光が反射すると、反射光が画像を形成する
ことを特徴とする請求項１又は２に記載の図案。
【請求項４】
前記画像隠し体は、１つ以上の画像を薄くする作用のある光学特性を有する被覆材料の層を含む
ことを特徴とする請求項１〜３のいずれか１項に記載の図案。
【請求項５】
前記画像隠し体は、これに特異的に作用して１つ以上の画像の薄化を変化させるような化学試薬による信号に応答する
ことを特徴とする請求項１〜４のいずれか１項に記載の図案。
【請求項６】
前記画像隠し体の光学特性は、前記化学試薬に応答して変化する
ことを特徴とする請求項５に記載の図案。
【請求項７】
前記画像隠し体又は前記被覆材料の層は、前記化学試薬の作用に応答して、部分的に又は完全に取り除かれ得る
ことを特徴とする請求項１〜６のいずれか１項に記載の図案。
【請求項８】
前記画像隠し体又は前記被覆材料の層は、前記化学試薬中に、部分的に又は完全に溶解し得る
ことを特徴とする請求項７に記載の図案。
【請求項９】
前記画像隠し体は、酵素の基質を含む
ことを特徴とする請求項１〜８のいずれか１項に記載の図案。
【請求項１０】
前記画像隠し体は、前記画像形成体の浮き出しのある表面に接し、かつ、前記画像形成体の浮き出しのある表面の屈折率に類似する屈折率を有する
ことを特徴とする請求項１〜９のいずれか１項に記載の図案。
【請求項１１】
前記画像隠し体は、前記画像形成体の浮き出しのある表面の屈折率と同じ屈折率を有する
ことを特徴とする請求項１０に記載の図案。
【請求項１２】
前記画像隠し体は、前記画像形成体から反射した光が隠し画像を通過できるように配置される
ことを特徴とする請求項１〜１１のいずれか１項に記載の図案。
【請求項１３】
前記画像隠し体は、前記画像形成体に入射する光が隠し画像を通過できるように配置される
ことを特徴とする請求項１〜１２のいずれか１項に記載の図案。
【請求項１４】
前記画像隠し体による光の吸収、散乱又は反射は、画像を薄くする作用を有し、かつ、信号に応答して変化する
ことを特徴とする請求項１〜１３のいずれか１項に記載の図案。
【請求項１５】
前記浮き出しのある表面は、不透明である
ことを特徴とする請求項１３に記載の図案。
【請求項１６】
前記画像形成体は、反射若しくは送波により１つ以上の可視画像を形成する複素屈折率の体積分布を有する
ことを特徴とする請求項１〜１４のいずれか１項に記載の図案。
【請求項１７】
前記画像形成体は複数の層を含み、上層は浮き出しのある表面を含み、その下の層は複素屈折率の体積分布を有する
ことを特徴とする請求項１６に記載の図案。
【請求項１８】
ホログラフィー又は回折図案であって、
材料の第一のシートの一表面において浮き出しパターンを含み、これによって、反射光により画像が形成され、また、前記図案は、前記浮き出しパターンに接していて画像を薄くする被覆材料の層を含む薄化体を含み、前記薄化体は化学試薬の影響を受けて画像の薄化を変化させる
ことを特徴とする図案。
【請求項１９】
前記浮き出しパターンは２つ以上の画像を生成し、前記薄化手段を試薬で処理することによって、少なくとも１つの画像の薄化が変化する
ことを特徴とする請求項１８に記載の図案。
【請求項２０】
前記の材料の第一のシートは、前記被覆材料の層の屈折率に類似する屈折率を有する
ことを特徴とする請求項１８又は１９に記載の図案。
【請求項２１】
前記の材料の第一のシートは、前記被覆材料の層の屈折率と同じ屈折率を有する
ことを特徴とする請求項２０に記載の図案。
【請求項２２】
前記の材料の第一のシートは、透明ではない
ことを特徴とする請求項１８〜２１のいずれか１項に記載の図案。
【請求項２３】
前記の材料の第一のシートは、不透明である
ことを特徴とする請求項２２に記載の図案。
【請求項２４】
前記被覆材料の層は、透明ではない
ことを特徴とする請求項１８〜２３のいずれか１項に記載の図案。
【請求項２５】
前記被覆材料の層は、不透明である
ことを特徴とする請求項２４に記載の図案。
【請求項２６】
前記の材料の第一のシートは、その内部に、ホログラフィー画像を形成する複素屈折率の体積分布を有する
ことを特徴とする請求項１８〜２５のいずれか１項に記載の図案。
【請求項２７】
前記の材料の第一のシートの下に、材料の第二のシートをさらに含み、前記の材料の第二のシートは、反射若しくは送波により可視画像を形成する複素屈折率の体積分布を有する
ことを特徴とする請求項１８〜２６のいずれか１項に記載の図案。
【請求項２８】
前記化学試薬は酵素を含み、前記薄化手段は前記酵素に対する基質を１つ以上含み、前記薄化は前記酵素の前記基質に対する作用に応答して変化する
ことを特徴とする請求項１８〜２７のいずれか１項に記載の図案。
【請求項２９】
前記化学試薬は溶媒を含み、前記薄化手段は、前記溶媒に溶解して前記薄化を変化させることができる材料を含む
ことを特徴とする請求項１８〜２８のいずれか１項に記載の図案。
【請求項３０】
前記薄化手段は、特定の化学試薬による作用を受けるまで画像を隠している
ことを特徴とする請求項１８〜２９のいずれか１項に記載の図案。
【請求項３１】
前記ホログラムは光の回折によって生成する
ことを特徴とする請求項１〜３０のいずれか１項に記載の図案。
【請求項３２】
前記ホログラムは拡大すると見ることができる
ことを特徴とする請求項１〜３１のいずれか１項に記載の図案。
【請求項３３】
前記ホログラフィー画像は、物体、又は、２次元若しくは３次元効果の画像である
ことを特徴とする請求項１〜３２のいずれか１項に記載の図案。
【請求項３４】
レーザ光に照射されると干渉効果を生成する手段をさらに含む
ことを特徴とする請求項１〜３３のいずれか１項に記載の図案。
【請求項３５】
前記手段は、偏光を解消する層を含む
ことを特徴とする請求項３４に記載の図案。
【請求項３６】
前記ホログラムは、白色光、ＵＶ光又は赤外線下で見ることができる
ことを特徴とする請求項１〜３５のいずれか１項に記載の図案。
【請求項３７】
前記ホログラムは、特定の温度条件、磁気条件又は圧力条件下で見ることができる
ことを特徴とする請求項１〜３５のいずれか１項に記載の図案。
【請求項３８】
ホログラフィーセンサである
ことを特徴とする請求項１〜３７のいずれか１項に記載の図案。
【請求項３９】
化学的種、生化学的種若しくは生物学的種に対して感受性がある
ことを特徴とする請求項３８に記載の図案。
【請求項４０】
請求項１〜３９のいずれか１項に記載の図案を、取り付けた状態で、又は、組み込んだ状態で含む物品。
【請求項４１】
金融取引カード、銀行券、パスポート、身分証明証、スマートカード、運転免許証、株券、債務証書、小切手、小切手保証カード、タックスバンダロール、ギフト券、郵便切手、鉄道チケット又は航空チケット、テレフォンカード、くじ券、イベントチケット、クレジットカード又はデビットカード、業務用名刺、又は、消費者、商標及び製品を保護する際に偽造品と本物の製品とを区別する目的、又は、盗品を確認する目的のアイテムとして使用される
ことを特徴とする請求項４０に記載の物品。
【請求項４２】
本明細書中に定義する、識別力を有するパッケージのアイテムである
ことを特徴とする請求項４０に記載の物品。
【請求項４３】
宝飾品類、衣類（履物を含む）、織物、家具、玩具、進物、家庭用品（陶磁器類及びガラス器を含む）、建築物（ガラス、タイル、塗料、金属、レンガ、陶磁器、木、プラスチック、並びに、他の内装及び外装を含む）、芸術品（絵画、彫刻、陶器及び照明装置を含む）、文房具類（あいさつ状、レターヘッド及び宣伝製品を含む）及びスポーツ用品から選択される、装飾要素を有する産業製品又は手工芸品である
ことを特徴とする請求項４０に記載の物品。
【請求項４４】
農学研究、環境学研究、人間又は獣医学における予後、治療的診断、診断、治療又は化学的分析において使用するための製品又は装置である
ことを特徴とする請求項４０に記載の物品。
【請求項４５】
試験紙、チップ、カートリッジ、綿球、チューブ、ピペット、コンタクトレンズ、結膜下インプラント、皮下インプラント、飲酒検知器、カテーテル、又は、液体サンプリング装置若しくは分析装置である
ことを特徴とする請求項４４に記載の物品。
【請求項４６】
請求項１〜３９のいずれか１項に記載の図案を含むことを特徴とする
転写可能なホログラフィーフィルム。
【請求項４７】
ホットスタンプテープ上に配置される
ことを特徴とする請求項４６に記載のフィルム。
【請求項４８】
前記図案を、請求項４６又は４７に記載のフィルムから前記物品の上に転写することを含む
ことを特徴とする物品のセキュリティを高める方法。
【請求項４９】
前記図案からデータを作成することができる
請求項１〜３９のいずれか１項に記載の図案を含む製品。
【請求項５０】
請求項４９に記載の製品によって作成したデータを使用して、データ記憶、制御、送信、報告及び／又は設計を実施するシステム。
【請求項５１】
ホログラフィー又は回折図案が本物であるかどうかを実証する方法であって、
前記図案は、特定の送信手段からの信号に応答して変化するホログラフィー画像又は回折画像を提供し、かつ、
次の段階： 
前記図案に特定の送信手段を適用する段階；
画像を見る段階；及び、
得られる画像が原物の図案と一致しているかどうかを確認する段階：を含む
ことを特徴とする方法。
【請求項５２】
製品が本物であるかどうかを実証する方法であって、
前記製品上にはホログラフィー又は回折図案があって、前記図案は、特定の送信手段からの信号に応答して変化するホログラフィー画像又は回折画像を提供し、前記方法は、次の段階： 
前記図案に特定の送信手段を適用する段階；
画像を見る段階；及び、
得られる画像が、原物の製品に以前に適用された図案と一致しているかどうかを確認する段階：を含む
ことを特徴とする方法。
【請求項５３】
ホログラフィー画像又は回折画像を隠す又は現す方法であって、
次の段階： 
画像隠し体を適用することによって、画像形成体によって形成されたホログラフィー画像又は回折画像を薄くする段階；及び、
送信手段を使用して画像隠し体に信号を送ることにより画像の薄化を変化させて、これによって画像を隠す又は現す段階：を含む
ことを特徴とする方法。
【国際調査報告】
2008502018.tif 000006
2008502018.tif 000007
2008502018.tif 000008
2008502018.tif 000009
2008502018.tif 000010
2008502018.tif 000011
2008502018.tif 000012